(57)【要約】【課題】本発明は、ＴＥリング部または主部に残ったブリッジの破断片によって利用者が違和感を覚えるのを防ぐことができるキャップ、閉止装置、および容器詰め飲料を提供する。【解決手段】筒部が、主部３６と、該主部３６の下端にブリッジ３７によって連結されたＴＥリング部３８からなり、該ＴＥリング部３８には、外方に突出する環状のビード部４０と係止部４１が形成され、ＴＥリング部３８の上縁部の内径Ｌ１とビード部４０の下端の内径Ｌ２が、容器口部の膨出段部２４の外径Ｍよりも大きく、ＴＥリング部３８の上縁部の内径Ｌ１が３７〜４０ｍｍであり、ビード部４０の下端の内径Ｌ２が３６〜３９ｍｍである構成とする。【選択図】  図２
2004217294.tif 000002
【特許請求の範囲】
【請求項１】
外方に突出する膨出段部が形成された容器の口部に装着されるキャップにおいて、
天板部とその周縁から垂下した筒部とを備え、該筒部が、主部と、該主部の下端にブリッジによって連結されたタンパーエビデンスリング部からなり、
該タンパーエビデンスリング部には、外方に突出する環状のビード部と、キャップを開栓するときに前記容器口部の膨出段部に係止する係止部が形成され、
タンパーエビデンスリング部の上縁部の内径とビード部の下端の内径が、容器口部の膨出段部の外径よりも大きく、
タンパーエビデンスリング部の上縁部の内径が３７〜４０ｍｍであり、ビード部の下端の内径が３６〜３９ｍｍであることを特徴とするキャップ。
【請求項２】
外方に突出する膨出段部が形成された容器の口部に装着されるキャップにおいて、
天板部とその周縁から垂下した筒部とを備え、該筒部が、主部と、該主部の下端にブリッジによって連結されたタンパーエビデンスリング部からなり、
該タンパーエビデンスリング部には、外方に突出する環状のビード部と、キャップを開栓するときに前記容器口部の膨出段部に係止する係止部が形成され、
タンパーエビデンスリング部の上縁部の内径と、容器口部の膨出段部の外径との差が０．１〜１．５ｍｍであり、
ビード部の下端の内径と、容器口部の膨出段部の外径との差が０．１〜１ｍｍであることを特徴とするキャップ。
【請求項３】
外方に突出する膨出段部が口部に形成された容器と、該口部に装着されるキャップとを備えた閉止装置において、
前記キャップが、天板部とその周縁から垂下した筒部とを備え、該筒部が、主部と、該主部の下端にブリッジによって連結されたタンパーエビデンスリング部からなり、
該タンパーエビデンスリング部には、外方に突出する環状のビード部と、キャップを開栓するときに前記容器口部の膨出段部に係止する係止部が形成され、
タンパーエビデンスリング部の上縁部の内径とビード部の下端の内径が、容器口部の膨出段部の外径よりも大きく、
タンパーエビデンスリング部の上縁部の内径が３７〜４０ｍｍであり、ビード部の下端の内径が３６〜３９ｍｍであることを特徴とする閉止装置。
【請求項４】
外方に突出する膨出段部が口部に形成された容器と、該口部に装着されるキャップとを備えた閉止装置において、
前記キャップが、天板部とその周縁から垂下した筒部とを備え、該筒部が、主部と、該主部の下端にブリッジによって連結されたタンパーエビデンスリング部からなり、
該タンパーエビデンスリング部には、外方に突出する環状のビード部と、キャップを開栓するときに前記容器口部の膨出段部に係止する係止部が形成され、
タンパーエビデンスリング部の上縁部の内径と、容器口部の膨出段部の外径との差が０．１〜１．５ｍｍであり、
ビード部の下端の内径と、容器口部の膨出段部の外径との差が０．１〜１ｍｍであることを特徴とする閉止装置。
【請求項５】
外方に突出する膨出段部が口部に形成された容器と、該口部に装着されるキャップとを備えた閉止装置内に飲料が充填された容器詰め飲料において、
前記キャップが、天板部とその周縁から垂下した筒部とを備え、該筒部が、主部と、該主部の下端にブリッジによって連結されたタンパーエビデンスリング部からなり、
該タンパーエビデンスリング部には、外方に突出する環状のビード部と、キャップを開栓するときに前記容器口部の膨出段部に係止する係止部が形成され、
タンパーエビデンスリング部の上縁部の内径とビード部の下端の内径が、容器口部の膨出段部の外径よりも大きく、
タンパーエビデンスリング部の上縁部の内径が３７〜４０ｍｍであり、ビード部の下端の内径が３６〜３９ｍｍであることを特徴とする容器詰め飲料。
【請求項６】
外方に突出する膨出段部が口部に形成された容器と、該口部に装着されるキャップとを備えた閉止装置内に飲料が充填された容器詰め飲料において、
前記キャップが、天板部とその周縁から垂下した筒部とを備え、該筒部が、主部と、該主部の下端にブリッジによって連結されたタンパーエビデンスリング部からなり、
該タンパーエビデンスリング部には、外方に突出する環状のビード部と、キャップを開栓するときに前記容器口部の膨出段部に係止する係止部が形成され、
タンパーエビデンスリング部の上縁部の内径と、容器口部の膨出段部の外径との差が０．１〜１．５ｍｍであり、
ビード部の下端の内径と、容器口部の膨出段部の外径との差が０．１〜１ｍｍであることを特徴とする容器詰め飲料。
【発明の詳細な説明】
【０００１】
【発明の属する技術分野】
本発明は、容器の口部に装着されて該容器口部を閉止するキャップ、このキャップを用いた閉止装置、およびこの閉止装置を用いた容器詰め飲料に関する。
【０００２】
【従来の技術】
図４は、従来の閉止装置の一例を示す。この閉止装置１１は、容器２と、この容器２の容器口部２１に装着されるキャップ５３とから構成されている。容器２は、アルミニウム、スチールなどの金属からなるものである。
キャップ５３は、アルミニウムやスチールなどの金属からなるキャップ本体３１を備えている。このキャップ本体３１は、円形の天板部３３と、その周縁から垂下した筒部３４とから構成されている。
キャップ本体３１の筒部３４には、水平方向に断続する切り込み（以下、水平スコアと言う。）３５が設けられており、筒部３４は、この水平スコア３５によって、主部３６と、この主部３６に連結されたタンパーエビデンスリング部（以下、ＴＥリング部と言う。）５８とに区画されている。またこの筒部３４には、容器口部２１に形成された雄ネジ２３に螺合するネジ部３９が形成されている。（例えば特許文献１参照。）
【０００３】
図５に示すように、容器口部２１に装着したキャップ５３を開栓方向に回すと、キャップ５３の主部３６は回転に従って上昇する一方、ＴＥリング部５８は容器口部２１の膨出段部２４下部にて係止し、上方への移動が阻止される。このため、キャップ５３の主部３６とＴＥリング部５８とを連結しているブリッジ３７に引張力が作用し、これらブリッジ３７が破断し、ＴＥリング部５８は主部３６から切り離される。
【０００４】
ところで、近年では、飲料用などの容器２として、ガラスや合成樹脂製のものに代えて、アルミニウムなどの金属製のものが用いられている。
一般に、金属製の容器２は、ガラスや合成樹脂からなるものに比べ若干強度が劣る。このため、金属製の容器２に内容液を充填する場合には、容器２内に液体窒素などを供給してキャップ５３を装着し、この窒素により容器２の内圧を高めることが行われている。この容器２の内圧は、常温時の圧力が常圧を越える値に設定することが多い。
容器２の内圧を、常圧を越える値に設定することによって、容器２の内外の圧力差や外部からの衝撃により容器２が変形するのを防ぐことができる。
【０００５】
【特許文献１】
特開平９−３２８１５８号公報
【０００６】
【発明が解決しようとする課題】
このような容器２の内圧の高圧化に対応するため、金属製容器用のキャップ５３には、強度が高い硬質材料からなるものが用いられる。特に大型のキャップ５３（例えば最大内径が３０ｍｍ以上であるキャップ）では、より硬質の材料が用いられる。このため、通常、ＴＥリング部５８に垂直スコアは形成されない。垂直スコアが形成されていないキャップ５３では、キャップ開栓後、ＴＥリング部５８は容器口部２１に残ることになる。
容器口部２１に残ったＴＥリング部５８には、ブリッジ３７の破断片３７ａが残るため、利用者が容器口部２１を口に当てた状態で容器２内の飲料を飲む場合に、この破断片３７ａが唇に当たってしまい、利用者が違和感を覚えることがあった。
このため、キャップ５３を開栓した後、容器口部２１に残ったＴＥリング部５８は、膨出段部２４に留まらず、この膨出段部２４から下方に落下し、容器２の開口端部２２から離れて位置することが好ましい。
ＴＥリング部５８を落下しやすくする方策としては、ＴＥリング部５８の内径を、容器口部２１の外径に対し大きくすることが考えられるが、この場合には、以下のような問題点が挙げられる。
【０００７】
図６及び図７は、ＴＥリング部６８の内径を、容器口部２１の外径に対し過度に大きくしたキャップ６３の開栓過程の状態を示す。キャップ６３を開栓方向に回すと、キャップ６３の主部３６とＴＥリング部６８とを連結しているブリッジ３７に引張力Ｆが作用し、これらブリッジ３７が破断する。このときブリッジ３７は全て同時に破断せず、加わる引張力Ｆが大きいブリッジ３７や、強度の低いブリッジ３７から順に破断する。
このブリッジ３７が破断する過程において、図６及び図７（ｂ）に示すように、大部分のブリッジ３７が破断したときには、破断していないブリッジ３７にのみ引張力Ｆが作用することになる。
【０００８】
図６及び図７に示されたキャップ６３の場合には、ＴＥリング部６８の内径が、容器口部２１の外径に対し過度に大きいために、破断していないブリッジ３７にのみ引張力Ｆが作用すると、この破断していないブリッジ３７が接続された部分のＴＥリング部６８が外方に移動して膨出段部２４に乗り上げることとなる。このとき、ＴＥリング部６８は、破断していないブリッジ３７が接続された部分を上にして傾斜するため、ブリッジ３７に作用する引張力ＦはＴＥリング部６８の垂線方向Ｇに対して外方に角度をもつことになる。
【０００９】
この引張力Ｆによってブリッジ３７が破断すると、ブリッジ３７の破断片３７ａは、図７（ｃ）に示されたように、やや外方を向いた状態となる。
このため、利用者が容器口部２１を口に当てた状態で容器２内の飲料を飲む場合、破断片３７ａの先端が唇に当たりやすく、利用者が違和感を覚えることがあった。
【００１０】
本発明は上記した事情に鑑みてなされたものであり、ＴＥリング部に残ったブリッジの破断片によって利用者が違和感を覚えるのを防ぐことができるキャップ、閉止装置、および容器詰め飲料を提供することを目的とする。
【００１１】
【課題を解決するための手段】
かかる課題を解決するため、本発明のキャップは、外方に突出する膨出段部が形成された容器の口部に装着されるキャップにおいて、天板部とその周縁から垂下した筒部とを備え、該筒部が、主部と、該主部の下端にブリッジによって連結されたタンパーエビデンスリング部からなり、該タンパーエビデンスリング部には、外方に突出する環状のビード部と、キャップを開栓するときに前記容器口部の膨出段部に係止する係止部が形成され、タンパーエビデンスリング部の上縁部の内径とビード部の下端の内径が、容器口部の膨出段部の外径よりも大きく、タンパーエビデンスリング部の上縁部の内径が３７〜４０ｍｍであり、ビード部の下端の内径が３６〜３９ｍｍであることを特徴とする。
また、タンパーエビデンスリング部の上縁部の内径と、容器口部の膨出段部の外径との差が０．１〜１．５ｍｍであり、ビード部の下端の内径と、容器口部の膨出段部の外径との差が０．１〜１ｍｍとしてもよい。
【００１２】
本発明の閉止装置は、外方に突出する膨出段部が口部に形成された容器と、該口部に装着されるキャップとを備えた閉止装置において、前記キャップが、天板部とその周縁から垂下した筒部とを備え、該筒部が、主部と、該主部の下端にブリッジによって連結されたタンパーエビデンスリング部からなり、該タンパーエビデンスリング部には、外方に突出する環状のビード部と、キャップを開栓するときに前記容器口部の膨出段部に係止する係止部が形成され、タンパーエビデンスリング部の上縁部の内径とビード部の下端の内径が、容器口部の膨出段部の外径よりも大きく、タンパーエビデンスリング部の上縁部の内径が３７〜４０ｍｍであり、ビード部の下端の内径が３６〜３９ｍｍであることを特徴とする。
また、タンパーエビデンスリング部の上縁部の内径と、容器口部の膨出段部の外径との差が０．１〜１．５ｍｍであり、ビード部の下端の内径と、容器口部の膨出段部の外径との差が０．１〜１ｍｍとしてもよい。
【００１３】
本発明の容器詰め飲料は、外方に突出する膨出段部が口部に形成された容器と、該口部に装着されるキャップとを備えた閉止装置内に飲料が充填された容器詰め飲料において、前記キャップが、天板部とその周縁から垂下した筒部とを備え、該筒部が、主部と、該主部の下端にブリッジによって連結されたタンパーエビデンスリング部からなり、該タンパーエビデンスリング部には、外方に突出する環状のビード部と、キャップを開栓するときに前記容器口部の膨出段部に係止する係止部が形成され、タンパーエビデンスリング部の上縁部の内径とビード部の下端の内径が、容器口部の膨出段部の外径よりも大きく、タンパーエビデンスリング部の上縁部の内径が３７〜４０ｍｍであり、ビード部の下端の内径が３６〜３９ｍｍであることを特徴とする。
また、タンパーエビデンスリング部の上縁部の内径と、容器口部の膨出段部の外径との差が０．１〜１．５ｍｍであり、ビード部の下端の内径と、容器口部の膨出段部の外径との差が０．１〜１ｍｍとしてもよい。
【００１４】
【発明の実施の形態】
図１は、本実施形態の閉止装置１の一部断面図を示す。この閉止装置１は、容器２と、この容器２の口部２１に装着されるキャップ３とから構成されている。容器２は、アルミニウム、スチールなどの金属からなるものであり、容器口部２１の開口端部２２は外方に湾曲した形状となっている。また容器口部２１は、基部２１ａの上方に設けられた雄ネジ２３と、基部２１ａの下方に設けられた膨出段部２４を有する。この膨出段部２４は、外面に突出した形状をした環状凸部である。
なお、容器２としては、ポリエチレンテレフタレート（ＰＥＴ）などの合成樹脂や、ガラスからなるものを使用することもできる。
【００１５】
キャップ３は、キャップ本体３１とライナー３２とを備えている。このキャップ本体３１は、アルミニウムやスチールなどの金属からなり、円形の天板部３３と、その周縁から垂下した筒部３４とから構成されている。
なお、キャップ本体３１の材料としては、ポリエチレン、ポリプロピレンなどの合成樹脂を使用することもできる。
【００１６】
このキャップ本体３１の筒部３４には、水平方向に断続する切り込み（以下、水平スコアと言う。）３５が設けられており、筒部３４は、この水平スコア３５によって、水平スコア３５より上部の主部３６と、この主部３６の下端にブリッジ３７によって連結されたタンパーエビデンスリング部（以下、ＴＥリング部と言う。）３８とに区画されている。この筒部３４には、キャップ３を容器２に装着する際にネジ部３９が形成されており、このネジ部３９は、容器口部２１の雄ネジ２３に螺合するようになっている。
【００１７】
ＴＥリング部３８の上部には、外方に突出した形状をした環状凸部であるビード部４０が形成されている。このビード部４０は、略円弧状に湾曲した断面形状である。
また、ＴＥリング部３８の下部には、膨出段部２４に沿って湾曲した係止部４１が形成されている。この係止部４１は、キャップ３を開栓するときに膨出段部２４に係止し、ＴＥリング部３８の上方への移動を阻止するようになっている。
【００１８】
ライナー３２は、ポリプロピレンとゴムをブレンドしたもの、ポリエチレン、ＥＶＡ（エチレン酢酸ビニル共重合体）などの比較的軟質の合成樹脂材料からなる円板シート状のものであり、天板部３３内面に設けられている。
天板部３３の周縁部３３ａは、開口端部２２の外面に沿って湾曲しており、この周縁部３３ａによって、ライナー３２の周縁部は容器２の開口端部２２に圧接されるようになっている。これにより容器２の内部が、高い気密性で保たれるようになっている。
【００１９】
図２は、図１中、符号Ａの部分の拡大図を示す。ＴＥリング部３８の上縁部の内径Ｌ１とビード部４０の下端の内径Ｌ２は、膨出段部２４の外径Ｍよりも大きく、ビード部４０は、膨出段部２４よりも外方に位置するようになっている。
【００２０】
ＴＥリング部３８の上縁部の内径Ｌ１と、容器口部２１の膨出段部２４の外径Ｍとの差ｄ１は０．１〜１．５ｍｍであり、好ましくは０．１〜０．８ｍｍである。
これにより、キャップ開栓後、ＴＥリング部３８は、その上縁部が膨出段部２４に係止することなく落下し、符号３８’に示すように膨出段部２４より下方に位置することとなる。
【００２１】
また、ビード部４０の下端の内径Ｌ２と、膨出段部２４の外径Ｍとの差ｄ２は０．１〜１ｍｍであり、好ましくは０．１〜０．５ｍｍである。これにより、ＴＥリング部３８は水平方向に移動可能な幅が適度な値であり、ぐらつきがほとんど無く、キャップ３を開栓するとき、係止部４１は全周にわたって膨出段部２４に係止され、ＴＥリング部３８が傾斜することがない。
このため、図７（ｃ）に示された従来例のように、ブリッジ３７の破断片３７ａの先端が外方を向いた状態とはならない。
【００２２】
容器口部２１に装着したキャップ３を開栓方向に回すと、図３に示すようにキャップ３が上昇し、容器２の密封が解除される。
このキャップ開栓の過程では、ＴＥリング部３８が容器口部２１の膨出段部２４下端に係止することから、キャップ３の主部３６は回転に従って上昇する一方、ＴＥリング部３８は上方への移動が阻止され、その結果、キャップ３の主部３６とＴＥリング部３８とを連結しているブリッジ３７に引張力が作用し、これらブリッジ３７が破断し、主部３６がＴＥリング部３８から切り離される。
【００２３】
以下、上記差ｄ１，ｄ２が、上記した範囲を外れる場合について説明する。
ＴＥリング部５８の上縁部の内径Ｌ１と、容器口部２１の膨出段部２４の外径Ｍとの差ｄ１が上記範囲よりも小さい場合、又はビード部５０の下端の内径Ｌ２と、膨出段部２４の外径Ｍとの差ｄ２が上記範囲よりも小さい場合について、図４及び図５を用いて説明する。
図５に示すように、上記差ｄ１が上記範囲よりも小さいときには、キャップ開栓後、ＴＥリング部５８の上縁部が膨出段部２４に係止しやすく、ＴＥリング部５８が落下しにくくなるため、好ましくない。
また上記差ｄ２が、上記した範囲よりも小さいときも同様に、キャップ開栓後、ＴＥリング部５８が膨出段部２４に係止しやすく、ＴＥリング部５８が落下しにくくなるため、好ましくない。
【００２４】
ＴＥリング部６８の上縁部の内径Ｌ１と、容器口部２１の膨出段部２４の外径Ｍとの差ｄ１が上記範囲よりも大きい場合、又はビード部６０の下端の内径Ｌ２と、膨出段部２４の外径Ｍとの差ｄ２が上記範囲よりも大きい場合について、図６及び図７を用いて説明する。
図６は、キャップ６３の開栓途中の状態を示し、図７は、閉止装置１２の要部の断面図であり、図７（ａ）は、開栓前の状態を示し、図７（ｂ）は、開栓途中の状態を示し、図７（ｃ）は、開栓後の状態を示す。
【００２５】
キャップ６３を開栓方向に回すと、キャップ６３の主部３６とＴＥリング部６８とを連結しているブリッジ３７に引張力Ｆが作用し、これらブリッジ３７が破断する。このときブリッジ３７は全て同時に破断せず、加わる引張力Ｆが大きいブリッジ３７や、強度の低いブリッジ３７から順に破断する。
このブリッジ３７が破断する過程において、大部分のブリッジ３７が破断したとき、破断していないブリッジ３７が接続された部分のＴＥリング部６８に引張力が作用することになる。
【００２６】
特に上記ｄ２が上記範囲よりも大きい場合、ＴＥリング部６８が水平方向に移動可能な幅が大きいために、キャップ開栓の際、破断していないブリッジ３７が接続された部分のＴＥリング部６８に引張力が作用すると、この破断していないブリッジ３７が接続された部分のＴＥリング部６８は、外方に移動して膨出段部２４に乗り上げることとなる。
また、上記差ｄ１が上記範囲よりも大きい場合も、同様の理由によりキャップ開栓の際、破断していないブリッジ３７が接続された部分のＴＥリング部６８は、外方に移動して膨出段部２４に乗り上げることとなる。
【００２７】
このため、上記差ｄ１，ｄ２が上記範囲よりも大きい場合、ＴＥリング部６８は、破断していないブリッジ３７が接続された部分を上にして傾斜するため、ブリッジ３７に作用する引張力ＦはＴＥリング部６８の垂線方向Ｇに対して外方に角度をもつことになる。このため、この引張力Ｆによってブリッジ３７が破断すると、ブリッジ３７の破断片３７ａは、図７（ｃ）に示されたように、その先端がやや外方を向いた状態となる。
これにより、利用者が容器口部２１を口に当てた状態で容器２内の飲料を飲む場合、ブリッジ３７の破断片３７ａの先端が唇に当たりやすく、利用者が違和感を覚えるため、好ましくない。
【００２８】
本実施形態では、差ｄ１，ｄ２が上述した範囲であるため、ＴＥリング部３８は水平方向に移動可能な幅が適度な値であり、ぐらつきがほとんど無く、キャップ３を開栓する際、ＴＥリング部３８の一部分にのみ引張力が作用した場合でも、係止部４１は全周にわたって膨出段部２４に係止され、ＴＥリング部３８が傾斜することがない。
このため、ブリッジ３７の破断片３７ａの先端が外方を向いた状態とはならない。
更に、キャップ３を開栓後、ＴＥリング部３８は、キャップ３の主部３６から切り離されて、膨出段部２４より下方に落下することになる。
【００２９】
従って、従来のようにブリッジ３７の破断片３７ａが唇に当たり、利用者が違和感を覚えることがない。
またキャップ３が金属からなる場合、ブリッジ３７の破断片３７ａの先端が鋭利になることがある。本実施形態では、従来のように破断片３７ａの先端が外方を向いた状態とはならず、このような破断片３７ａが唇に当たり、利用者がけがをすることも防ぐことができる。
【００３０】
容器２としては、ネジ部３９の外径が３４〜３８ｍｍであり、膨出段部２４の外径Ｍが３６．５〜３９．５ｍｍのものが多用されている。
キャップ３は、ＴＥリング部３８の上縁部の内径Ｌ１は３７〜４０ｍｍとすることが好ましく、３７．５〜３９ｍｍとすることが更に好ましい。
これにより、キャップ開栓後、ＴＥリング部３８は、その上縁部が膨出段部２４に係止することなく落下し、図２中、符号３８’に示すように膨出段部２４より下方に位置することとなる。
【００３１】
また、ビード部４０の下端の内径Ｌ２は３６〜３９ｍｍとすることが好ましく、３７〜３８ｍｍとすることが更に好ましい。
これにより、ＴＥリング部３８は水平方向に移動可能な幅が適度な値であり、ぐらつきがほとんど無く、キャップ３を開栓するとき、係止部４１は全周にわたって膨出段部２４に係止され、ＴＥリング部３８が傾斜することがない。
このため、図７（ｃ）に示された従来例のように、ブリッジ３７の破断片３７ａの先端が外方を向いた状態とはならない。
【００３２】
以下、上記内径Ｌ１，Ｌ２が、上記した範囲を外れる場合について説明する。上記内径Ｌ１が上記範囲よりも小さいときには、キャップ開栓後、ＴＥリング部３８の上縁部が膨出段部２４に係止しやすいため、ＴＥリング部３８が落下しにくくなるため、好ましくない。
また上記内径Ｌ２が、上記した範囲よりも小さいときも同様に、キャップ開栓後、ＴＥリング部３８が膨出段部２４に係止しやすいため、ＴＥリング部３８が落下しにくくなるため、好ましくない。
【００３３】
上記内径Ｌ２が上記範囲よりも大きい場合、ＴＥリング部３８が水平方向に移動可能な幅が大きいために、キャップ開栓の際、破断していないブリッジ３７が接続された部分のＴＥリング部３８に引張力が作用すると、この破断していないブリッジ３７が接続された部分のＴＥリング部３８は、外方に移動して膨出段部２４に乗り上げることとなる。
また、上記内径Ｌ１が上記範囲よりも大きい場合も、同様の理由によりキャップ開栓の際、破断していないブリッジ３７が接続された部分のＴＥリング部３８は、外方に移動して膨出段部２４に乗り上げることとなる。
【００３４】
このため、上記内径Ｌ１，Ｌ２が上記範囲よりも大きい場合、ＴＥリング部３８は、破断していないブリッジ３７が接続された部分を上にして傾斜するため、ブリッジ３７に作用する引張力はＴＥリング部３８の垂線方向に対して外方に角度をもつことになる。このため、この引張力によってブリッジ３７が破断すると、ブリッジ３７の破断片３７ａは、その先端がやや外方を向いた状態となる。
これにより、利用者が容器口部２１を口に当てた状態で容器２内の飲料を飲む場合、ブリッジ３７の破断片３７ａの先端が唇に当たりやすく、利用者が違和感を覚えるため、好ましくない。
【００３５】
本実施形態では、上記内径Ｌ１，Ｌ２が上記した範囲内であるため、キャップ開栓後、ブリッジ３７の破断片３７ａの先端が外方を向いた状態とはならず、更に、ＴＥリング部３８は、キャップ３の主部３６から切り離されて落下し、容器口部２１の膨出段部２４より下方に位置することになる。
このため、従来のようにブリッジ３７の破断片３７ａが唇に当たり、利用者が違和感を覚えることがない。
またキャップ３が金属からなる場合、ブリッジ３７の破断片３７ａの先端が鋭利になることがある。本実施形態では、従来のように破断片３７ａの先端が外方を向いた状態とはならず、このような破断片３７ａが唇に当たり、利用者がけがをすることも防ぐことができる。
【００３６】
本実施形態の閉止装置１では、果汁飲料，茶飲料，炭酸飲料，アルコール飲料，コーヒー飲料等の飲料を容器２に充填し、容器口部２１にキャップ３を装着することによって、飲料が充填された容器詰め飲料とすることができる。
【００３７】
【発明の効果】
以上、詳細に説明したように、請求項１，３，５に係る発明によれば、タンパーエビデンスリング部の上縁部の内径とビード部の下端の内径が、容器口部の膨出段部の外径よりも大きく、タンパーエビデンスリング部の上縁部の内径が３７〜４０ｍｍであり、ビード部の下端の内径が３６〜３９ｍｍとすることによって、タンパーエビデンスリング部は水平方向に移動可能な幅が適度な値であり、ぐらつきがほとんど無く、キャップを開栓する際、係止部は全周にわたって膨出段部に係止され、タンパーエビデンスリング部が傾斜することがない。このため、ブリッジの破断片の先端が外方を向いた状態とはならない。
更に、キャップを開栓後、タンパーエビデンスリング部は、その上縁部が膨出段部に係止することなく落下し、膨出段部より下方に位置することになる。
従って、利用者が容器口部を口に当てた状態で容器内の飲料などを飲む場合に、従来のようにブリッジの破断片が唇に当たり、利用者が違和感を覚えることがない。
【００３８】
請求項２，４，６に係る発明によれば、タンパーエビデンスリング部の上縁部の内径と、容器口部の膨出段部の外径との差が０．１〜１．５ｍｍであり、ビード部の下端の内径と、容器口部の膨出段部の外径との差が０．１〜１ｍｍとすることによって、タンパーエビデンスリング部は水平方向に移動可能な幅が適度な値であり、ぐらつきがほとんど無く、キャップを開栓する際、係止部は全周にわたって膨出段部に係止され、タンパーエビデンスリング部が傾斜することがない。このため、ブリッジの破断片の先端が外方を向いた状態とはならない。
更に、キャップを開栓後、タンパーエビデンスリング部は、その上縁部が膨出段部に係止することなく落下し、膨出段部より下方に位置することになる。
従って、利用者が容器口部を口に当てた状態で容器内の飲料などを飲む場合に、従来のようにブリッジの破断片が唇に当たり、利用者が違和感を覚えることがない。
【図面の簡単な説明】
【図１】本実施形態の閉止装置を示す一部断面図である。
【図２】図１に示す閉止装置の要部を示す拡大図である。
【図３】図１に示す閉止装置のキャップを開栓した状態を示す概略図である。
【図４】従来の閉止装置の一例を示す一部断面図である。
【図５】従来の閉止装置の一例のキャップを開栓した状態を示す概略図である。
【図６】従来の閉止装置の他の一例のキャップの開栓途中の状態を示す概略図である。
【図７】従来の閉止装置の他の一例のキャップの開栓過程における要部の断面拡大図であり、（ａ）は開栓前の状態を示し、（ｂ）は開栓途中の状態を示し、（ｃ）は開栓後の状態を示す。
【符号の説明】
１‥‥閉止装置，２‥‥容器，３‥‥キャップ，２１‥‥容器口部，２４‥‥膨出段部，３３‥‥天板部，３４‥‥筒部，３６‥‥主部，３７‥‥ブリッジ，３８‥‥タンパーエビデンスリング部，４０‥‥ビード部，４１‥‥係止部
【図１】
2004217294.tif 000003
【図２】
2004217294.tif 000004
【図３】
2004217294.tif 000005
【図４】
2004217294.tif 000006
【図５】
2004217294.tif 000007
【図６】
2004217294.tif 000008
【図７】
2004217294.tif 000009